(57)【要約】【課題】工期の短縮化を図ることのできる円筒型タンクの構築方法の提供。【解決手段】金属製の内槽とコンクリート製の外槽とを有する円筒型タンクの構築方法であって、基礎版２の外周縁部でＰＣ壁３を組み上げていく工程と、基礎版２の外周縁部以外の基礎版２上で外槽屋根１０を組み立てる工程と、ＰＣ壁３の組み上げ途中で、基礎版２上にある外槽屋根１０をジャッキアップ装置１１により上昇させ、ＰＣ壁３に保持させる工程と、上昇により生じた外槽屋根１０の下方の空間で、外槽屋根１０と独立して内槽を組み立てる工程と、を有する、という手法を採用する。【選択図】図６
2014092004.tif 000002
【特許請求の範囲】
【請求項１】
金属製の内槽とコンクリート製の外槽とを有する円筒型タンクの構築方法であって、
前記外槽の底部の外周縁部で前記外槽の側壁を組み上げていく工程と、
前記外周縁部以外の前記外槽の底部上で前記外槽の屋根部を組み立てる工程と、
前記外槽の側壁の組み上げ途中で、前記外槽の底部上にある前記外槽の屋根部をジャッキアップ装置により上昇させ、前記外槽の側壁に保持させる工程と、
前記上昇により生じた前記外槽の屋根部の下方の空間で、前記外槽の屋根部と独立して前記内槽を組み立てる工程と、を有する、ことを特徴とする円筒型タンクの構築方法。
【請求項２】
前記外槽の屋根部を前記外槽の側壁に保持された状態で組み立てる工程を有する、ことを特徴とする請求項１に記載の円筒型タンクの構築方法。
【請求項３】
ジャッキアップ装置による内槽側板の上昇と、前記上昇した内槽側板の下側への次の内槽側板の取り付けと、を交互に繰り返すことで、前記内槽を組み立てる工程を有する、ことを特徴とする請求項１または２に記載の円筒型タンクの構築方法。
【請求項４】
前記外槽の側壁は、外槽側板を内側型枠としてコンクリートを打設することにより組み上げられ、
前記外槽側板に予め開口部を形成する工程と、
前記コンクリートに埋め込まれるアンカーが接続されたアンカー部を前記開口部に取り付ける工程と、
前記開口部に取り付けられた前記アンカー部を介してジャッキアップ装置を支持させる工程と、を有する、ことを特徴とする請求項１〜３のいずれか一項に記載の円筒型タンクの構築方法。
【請求項５】
前記外槽の側壁の組み上げ後、前記外槽の側壁の頂部にジャッキアップ装置を設け、前記外槽の屋根部を上昇させる工程と、
前記外槽の側壁の内周面に突起部を設け、前記外槽の屋根部の上昇する高さを規制する工程と、
前記突起部により高さを規制された前記外槽の屋根部を前記外槽の側壁の内周面にカプラーを介して取り付ける工程と、を有する、ことを特徴とする請求項１〜４のいずれか一項に記載の円筒型タンクの構築方法。
【発明の詳細な説明】
【技術分野】
【０００１】
本発明は、円筒型タンクの構築方法に関するものである。
【背景技術】
【０００２】
内槽と外槽とを有する構造の円筒型タンクは、ＬＮＧ（液化天然ガス）やＬＰＧ（液化石油ガス）等の低温液体の貯蔵に用いられている。特許文献１には、金属製の内槽とＰＣ（プレキャスト）コンクリート製の外槽とを有する円筒型タンクの構築方法が開示されている。
【０００３】
この円筒型タンクの構築方法では、先ずコンクリートにより形成された底部から、外槽となるＰＣ側壁を立ち上げ、底部上において組み立てた屋根をエアレイジングし、外槽屋根をＰＣ壁の頂部に据え付ける。その後、底部にアニュラー部を敷設し、アニュラー部上に内槽を立ち上げる。内槽は、ＰＣ壁の工事口から搬入した複数の内槽側板を環状に溶接し、それを最下段から最上段まで順々に溶接していくことにより組み立てる。そして、底部上に保冷材を敷設すると共に内外槽間に保冷材を充填することで、ＬＮＧ等を保冷する機能を有する円筒型タンクを構築している。
【先行技術文献】
【特許文献】
【０００４】
【特許文献１】特開２００４−３５３３１９号公報
【発明の概要】
【発明が解決しようとする課題】
【０００５】
ところで、近年、このような円筒型タンクの工期の短縮化が求められている。上記従来技術では、外槽の側壁を立ち上げてから、エアレイジングにより外槽の側壁に外槽屋根を据え付け、その後、内槽を立ち上げていくため、各作業がクリティカルパスとなっており、円筒型タンクの工期の短縮化を十分に図ることができないという問題がある。
【０００６】
本発明は、上記問題点に鑑みてなされたものであり、工期の短縮化を図ることのできる円筒型タンクの構築方法の提供を目的とする。
【課題を解決するための手段】
【０００７】
上記の課題を解決するために、本発明は、金属製の内槽とコンクリート製の外槽とを有する円筒型タンクの構築方法であって、前記外槽の底部の外周縁部で前記外槽の側壁を組み上げていく工程と、前記外周縁部以外の前記外槽の底部上で前記外槽の屋根部を組み立てる工程と、前記外槽の側壁の組み上げ途中で、前記外槽の底部上にある前記外槽の屋根部をジャッキアップ装置により上昇させ、前記外槽の側壁に保持させる工程と、前記上昇により生じた前記外槽の屋根部の下方の空間で、前記外槽の屋根部と独立して前記内槽を組み立てる工程と、を有する、という手法を採用する。
この手法を採用することによって、本発明では、外槽の底部の外周縁部で外槽の側壁を組み上げつつ、それと並行して外周縁部以外の外槽の底部上で外槽の屋根部を組み立てる。そして、外槽の屋根部をある程度組み立てたら、ジャッキアップ装置により上昇させて組み上げ途中の外槽の側壁に保持させ、外槽の屋根部の下方に内槽を組み立てるための空間を確保する。これにより、本発明では、外槽の側壁の組み上げ、及び外槽の屋根部の組み立て、及び内槽の組み立ての同時並行作業が可能となるため、工期の大幅な短縮化が可能となる。
【０００８】
また、本発明においては、前記外槽の屋根部を前記外槽の側壁に保持された状態で組み立てる工程を有する、という手法を採用する。
この手法を採用することによって、本発明では、外槽の屋根部を最終的に外槽の側壁の頂部に据え付ける前に、外槽の側壁の中段に保持された状態で外槽の屋根部を予め完成の手前（例えば屋根コンクリート打設のための鉄筋作業を含む）まで組み立てる。これにより、本発明では、外槽の側壁の組み上げが完成した後、その頂部へ外槽の屋根部を据え付けて、外槽を速やかに完成させることが可能となる。
【０００９】
また、本発明においては、ジャッキアップ装置による内槽側板の上昇と、前記上昇した内槽側板の下側への次の内槽側板の取り付けと、を交互に繰り返すことで、前記内槽を組み立てる工程を有する、という手法を採用する。
この手法を採用することによって、本発明では、内槽側板をジャッキアップ装置により上昇させつつ、順次その下に内槽側板を継ぎ足していくことで、内槽側板の継ぎ足しが低位置となり、外槽の側壁の中段に保持されている外槽の屋根部との干渉を避けつつ、低所での安全な内槽の組み立て作業が可能となる。
【００１０】
また、本発明においては、前記外槽の側壁は、外槽側板を内側型枠としてコンクリートを打設することにより組み上げられ、前記外槽側板に予め開口部を形成する工程と、前記コンクリートに埋め込まれるアンカーが接続されたアンカー部を前記開口部に取り付ける工程と、前記開口部に取り付けられた前記アンカー部を介してジャッキアップ装置を支持させる工程と、を有する、という手法を採用する。
この手法を採用することによって、本発明では、ジャッキアップ装置は外槽の屋根部を上昇させる際には該屋根部の重量を支え、また、内槽側板を上昇させる際には該内槽側板の重量を支える。このジャッキアップ装置にかかる荷重を外槽の側壁で受けさせるために、外槽側板に予め開口部を設けておき、該開口部にアンカー部を取り付けて、外槽側板と一体とする。これにより、外槽側板の板厚を厚くする等してジャッキアップ装置を支える強度を確保する必要がなく、外槽側板の板厚を必要最小限にしつつ、必要なアンカー点を確保することができる。
【００１１】
また、本発明においては、前記外槽の側壁の組み上げ後、前記外槽の側壁の頂部にジャッキアップ装置を設け、前記外槽の屋根部を上昇させる工程と、前記外槽の側壁の内周面に突起部を設け、前記外槽の屋根部の上昇する高さを規制する工程と、前記突起部により高さを規制された前記外槽の屋根部を前記外槽の側壁の内周面にカプラーを介して取り付ける工程と、を有する、という手法を採用する。
この手法を採用することによって、本発明では、外槽の側壁の中段に保持されていた外槽の屋根部を引き上げるためにジャッキアップ装置を外槽の側壁の頂部に設けると、ジャッキアップ装置の場所には外槽の屋根部を据え付けることができないため、外槽の側壁の内周面に突起部を設けて外槽の屋根部の最終設置位置として高さを規制すると共に、外槽の側壁の内周面にカプラーを設けてカプラー取り合いにすることで外槽の屋根部を据え付ける。これにより、例えば外槽の側壁の中段に保持された状態で外槽の屋根部での鉄筋作業を開始し、外槽の側壁の組み上げが完成した後、カプラー取り合いにより外槽の屋根部を速やかに据え付けることが可能となる。
【発明の効果】
【００１２】
本発明によれば、工期の短縮化を図ることのできる円筒型タンクの構築方法が得られる。
【図面の簡単な説明】
【００１３】
【図１】本発明の実施形態における構築方法の第１工程を示す図である。
【図２】本発明の実施形態における構築方法の第２工程を示す図である。
【図３】本発明の実施形態における構築方法の第３工程を示す図である。
【図４】本発明の実施形態における構築方法の第４工程を示す図である。
【図５】本発明の実施形態におけるアンカープレートの構成を示す断面図である。
【図６】本発明の実施形態における構築方法の第５工程を示す図である。
【図７】本発明の実施形態における構築方法の第６工程を示す図である。
【図８】本発明の実施形態における構築方法の第７工程を示す図である。
【図９】本発明の実施形態における構築方法の第８工程を示す図である。
【図１０】本発明の実施形態における構築方法の第９工程を示す図である。
【図１１】本発明の実施形態におけるカプラー取り合い構造を示す断面図である。
【図１２】本発明の実施形態における構築方法の第１０工程を示す図である。
【図１３】本発明の実施形態における構築方法の第１１工程を示す図である。
【図１４】本発明の実施形態における構築方法の第１２工程を示す図である。
【図１５】本発明の実施形態における構築方法の第１３工程を示す図である。
【発明を実施するための形態】
【００１４】
以下、本発明の円筒型タンクの構築方法の一実施例について図面を参照して説明する。
【００１５】
先ず、図１に示すように、支持杭１を打ち込み、その上に基礎版（外槽の底部）２の一部を施工する。ここで施工する基礎版２の一部は、タンクの側壁が立設する部分であるリング状のアニュラー部分である。
【００１６】
次に、図２に示すように、先行して施工した基礎版２のアニュラー部分にＰＣ壁（外槽の側壁）３を立ち上げる。具体的には、基礎版２上に側ライナー（外槽側板）４を組み上げつつ、その外側にコンクリート５を打設していくことによりＰＣ壁３を立ち上げる。側ライナー４は、鋼製ライナーであってコンクリート型枠を兼ねており、外部足場６を設置しつつ側ライナー４の組み上げに追従してコンクリート５を打設することにより、ＰＣ壁３を下から順に組み上げていく。
【００１７】
また、これと並行して、基礎版２のアニュラー部よりも内側の中央部を施工し、基礎版２を完成させる。基礎版２が完成したら、その上に底部ライナー７を敷設する。その後、基礎版２上の中央部に屋根架台８を組み立てる。
【００１８】
次に、図３に示すように、側ライナー４の基端部の内側に沿って脚付架台９を設置する。そして、屋根架台８上及び脚付架台９上で外槽屋根（外槽の屋根部）１０を組み立てる。外槽屋根１０は、基礎版２上に高所作業車等を乗り入れ、鉄骨を組みそれに屋根ブロックを搭載する等して組み立てられる。この外槽屋根１０は、ＰＣ壁３が組み上げられる基礎版２の外周縁部以外の領域で組み立てられるため、両作業が干渉することがなく、ＰＣ壁３の組み上げと、外槽屋根１０の組み立てとの同時並行作業が可能となる。
【００１９】
外槽屋根１０をある程度組み立てたら、次に、図４に示すように、組み上げ途中のＰＣ壁３にジャッキアップ装置１１を設置する。先ず、基礎版２よりも上方であって、外槽屋根１０の外周縁部よりも上方のＰＣ壁３に、吊側ジャッキ架台（吊り点）１２をタンク周方向で複数設置する。吊側ジャッキ架台１２は、所定高さのＰＣ壁３からタンク内方に向けて略水平に凸設されるものである。吊側ジャッキ架台１２は、図５に示すＰＣ壁３に埋め込んだアンカープレート（アンカー部）１３に強固且つ着脱可能に固定する。
【００２０】
アンカープレート１３は、コンクリート５に埋め込まれた複数のアンカー１４が接続されており、側ライナー４よりも優れた強度を備えるものである。このアンカープレート１３は、側ライナー４に予め開口部１５を形成しておき、この開口部１５にアンカープレート１３を嵌め込み、隅肉溶接等により側ライナー４と一体物とすることで設置する。つまり、側ライナー４の適所を部分的にアンカープレート１３で構成し、そのアンカープレート１３に吊側ジャッキ架台１２を固定することとなる。
【００２１】
なお、吊側ジャッキ架台１２をＰＣ壁３に設けてジャッキアップ装置１１を支持させるために、側ライナー４の全体の板厚を厚くする等してジャッキアップ装置１１を支える強度を確保することも可能であるが、側ライナー４の最適設計による軽量化及びコストダウンを図ることができなくなる。このため、本実施形態では、側ライナー４の開口部１５に取り付けられ部分的に支持強度が高くなったアンカープレート１３を介して、吊側ジャッキ架台１２を固定すると共にジャッキアップ装置１１を支持させるようにしている。
【００２２】
このようにアンカープレート１３があることで、側ライナー４の全体の板厚を厚くする等してジャッキアップ装置１１を支える強度を確保する必要がなくなり、側ライナー４の板厚を必要最小限にしつつ、必要なアンカー点を確保することができる。
図４に戻り、次に、外槽屋根１０の外周縁部に、複数の吊側ジャッキ架台１２に対応する複数の被吊側ジャッキ架台１６を設置する。被吊側ジャッキ架台１６は、外槽屋根１０の外周縁部からタンク外方に向けて略水平に凸設されるものである。この被吊側ジャッキ架台１６を外槽屋根１０の外周縁部に着脱可能に固定する。
なお、この被吊側ジャッキ架台１６は、図４に示すような外槽屋根１０の側方でなく、外槽屋根１０の上方に設置してもよい。
【００２３】
そして、吊側ジャッキ架台１２と被吊側ジャッキ架台１６との間に渡って、ジャッキアップ装置１１を設置する。ジャッキアップ装置１１は、図４に示すように、センターホールジャッキとして構成され、被吊側ジャッキ架台１６の下方に吊下される円筒状のジャッキ本体１１ａと、上下に延在してジャッキ本体１１ａにストローク可能に保持されると共に上端部を吊側ジャッキ架台１２にイコライザ１７ａを介して係合させるジャッキアップロッド１７と、を有する。
【００２４】
上記構成のジャッキアップ装置１１を、タンク周方向に所定間隔で複数設置する。なお、屋根架台８は、外槽屋根１０の屋根鉄骨部が組み上がったら撤去することができ、また、上記のようにジャッキアップ装置１１を設置したら脚付架台９の一部を撤去することができる。屋根架台８と脚付架台９の一部を撤去すると、外槽屋根１０の重量が複数のジャッキアップ装置１１によって支持された状態となる。
【００２５】
次に、図６に示すように、ジャッキアップ装置１１によって基礎版２上で組み立てていた外槽屋根１０を上昇させる。具体的には、ジャッキ本体１１ａが正転駆動することで、このジャッキ本体１１ａが被吊側ジャッキ架台１６と共にジャッキアップロッド１７を伝うように上昇し、もって組み立て途中の外槽屋根１０をジャッキアップさせる。外槽屋根１０をジャッキアップすることで、外槽屋根１０の下方に内槽側板２０を搬入し、内槽を組み立てるための作業空間を確保することができる。
【００２６】
このようにジャッキアップ装置１１によって外槽屋根１０を上昇させることにより、エアレイジング手法と比べて、容易に外槽屋根１０を上昇させることができる。つまり、エアレイジング手法では、空気圧で外槽屋根１０を上昇させるために、空気漏れがない程度にまで外槽屋根１０を組み立てなければならず、本実施形態のように外槽屋根１０を中途で上昇させることができない。また、エアレイジング手法では、空気を吹き込むブロアー等の設置が必要であり、またＰＣ壁３や内槽側板２０の先行組み立てが必要である。
【００２７】
次に、図７に示すように、ジャッキアップ装置１１によって上昇させた外槽屋根１０をＰＣ壁３に保持させる。具体的には、ＰＣ壁３の中段に保持架台２１を設置して、保持架台２１を介して外槽屋根１０をＰＣ壁３に保持させる。保持架台２１は、所定高さのＰＣ壁３からタンク内方に向けて略水平に凸設されるものである。この保持架台２１を例えばＰＣ壁３に予め埋め込んだ図５に示すようなアンカープレート１３に強固かつ着脱可能に固定する。
【００２８】
保持架台２１を設置したら、被吊側ジャッキ架台１６の外槽屋根１０への固定を解除する。被吊側ジャッキ架台１６の固定を解除すると、外槽屋根１０の重量が保持架台２１によって支持された状態となる。このように保持架台２１を介して外槽屋根１０をＰＣ壁３に保持させたら、ジャッキ本体１１ａを逆転駆動させ、基礎版２近傍まで下げる。そして、外槽屋根１０の下方の空間での内槽側板２０の組み立て作業に使用できるようにする。なお、内槽側板２０には被吊側ジャッキ架台１６を別途取り付けるが、外槽屋根１０の被吊側ジャッキ架台１６を転用してもよい。
【００２９】
内槽の組み立ては、図７に示すように、先ず、脚付架台９上に内槽側板（内槽の側壁でもある）２０をタンク周方向に沿って複数立設し、これら各内槽側板２０の隣り合うもの同士を横方向において一体的に溶接することで、これら各内槽側板２０を環状に組み立てる。なお、ここで組み立てる内槽側板２０は、最上段（本実施形態では８段目）に対応するものである。
【００３０】
次に、環状に組み立てた内槽側板２０に、複数の被吊側ジャッキ架台１６に対応する複数の被吊側取付架台２２を設置する。被吊側取付架台２２は、環状に組み立てた内槽側板２０の外周面からタンク外方に向けて略水平に凸設されるものである。この被吊側取付架台２２にジャッキアップ装置１１の被吊側ジャッキ架台１６を着脱可能に固定する。これにより環状に組み立てた内槽側板２０の重量の全部または一部がジャッキアップ装置１１によって支持された状態となる。また、内槽側板２０の変形防止のために、必要に応じて内槽側板２０の内側及び外側の少なくともいずれか一方に適切な補助材を施すことが好ましい。
【００３１】
次に、図８に示すように、ジャッキアップ装置１１による内槽側板２０の上昇と、上昇した内槽側板２０の下側への次の内槽側板の取り付けと、を交互に繰り返すことで、内槽を組み立てる。具体的には、先ず、ジャッキアップ装置１１のジャッキアップにより環状に組み立てた内槽側板２０をその内槽側板２０単体の上下幅に相当する分だけ上昇させる。次に、ジャッキアップにより内槽側板２０の下部にできた空間に、次の内槽側板２０をＰＣ壁３に設けた不図示の工事口を介して搬入し、この内槽側板２０を脚付架台９上に降ろし、ジャッキアップされた内槽側板２０の下方に環状に配置する。
【００３２】
そして、環状に配置した複数の内槽側板２０同士を溶接し、かつ上下に並ぶ内槽側板２０同士を溶接することで、これら内槽側板２０を一体の円筒状に形成する。
なお、複数の内槽側板２０同士をタンク外で予め横方向に連結し、これを取り込んで環状に形成した後、上下に並ぶ内槽側板２０同士を溶接するようにしてもよい。このように複数の内槽側板２０同士を作業空間の制限の少ないＰＣ壁３の外側で行うことで、溶接作業が容易になり、効率よく内槽を組み立てることができる。
【００３３】
また、このようにして、ジャッキアップ装置１１による内槽側板２０の上昇と、上昇した内槽側板２０の下側への次の内槽側板２０の取り付けとを、交互に繰り返し、内槽側板２０の下側に次の内槽側板２０を継ぎ足していくことで、内槽側板２０の継ぎ足しが基礎版２近傍の低位置となり、ＰＣ壁３の中段に保持されている外槽屋根１０との干渉を避けつつ、低所での安全な内槽の組み立て作業が可能となる。
【００３４】
この工程中、ＰＣ壁３に保持された組み立て途中の外槽屋根１０の組み立てを行う。具体的に、外槽屋根１０を最終的にＰＣ壁３の頂部に据え付ける前に、ＰＣ壁３の中段に保持された状態で外槽屋根１０を屋根コンクリート打設のための鉄筋作業を含めて、完成の手前まで組み立てる。本実施形態では、外槽屋根１０のＰＣ壁３の頂部の据え付けを後述するカプラー取り合いにしているため、この鉄筋作業を外槽屋根１０が中間地点にあるときに開始するようにする。これにより、本実施形態では、ＰＣ壁３の組み上げが完成した後、その頂部へ外槽屋根１０を据え付けて、外槽を速やかに完成させることが可能となる。
【００３５】
本手法では、このように基礎版２の外周縁部でＰＣ壁３を組み上げつつ、それと並行して外周縁部以外の基礎版２上で外槽屋根１０を組み立て、そして、外槽屋根１０をある程度組み立てたら、ジャッキアップ装置１１により上昇させて組み上げ途中のＰＣ壁３に保持させ、外槽屋根１０の下方に内槽を組み立てるための空間を確保し、外槽屋根１０と独立して内槽を組み立てる。したがって、本手法によれば、ＰＣ壁３の組み上げ、及び外槽屋根１０の組み立て、及び内槽の組み立ての同時並行作業が可能となっており、工期の大幅な短縮化を図ることができる。
【００３６】
また同時に、本手法では、図８に示すように、内外槽間であるアニュラー部に、タンク内容物の漏洩防止用のサーマルコーナープロテクション４０を設けることができる。サーマルコーナープロテクション４０は、発泡ガラスやパーライトコンクリートブロック等を用いて脚付架台９の下側の空間を利用して施工する。なお、サーマルコーナープロテクション４０は、コーナーをプロテクトするものであるが、コーナーだけでなく基礎版１上に沿ってその内側にも連続的に施工する。
【００３７】
ＰＣ壁３の組み上げが完了したら、次に、図９に示すように、ＰＣ壁３の頂部にジャッキアップ装置１１を設ける。具体的には、吊側ジャッキ架台１２のＰＣ壁３中段への固定を解除してＰＣ壁３頂部に仮架台を介して固定すると共に、被吊側ジャッキ架台１６の内槽側板２０への固定を解除して外槽屋根１０の外周縁部に固定する。そして、吊側ジャッキ架台１２と被吊側ジャッキ架台１６との間に渡って、ジャッキアップ装置１１を設置する。このようにジャッキアップ装置１１を設置したら、保持架台２１は撤去することができるので、その後適切なタイミングで撤去する。
【００３８】
次に、図１０に示すように、ジャッキアップ装置１１により外槽屋根１０を上昇させ、ＰＣ壁３の頂部に据え付ける。ＰＣ壁３の中段に保持されていた外槽屋根１０を引き上げるためにジャッキアップ装置１１をＰＣ壁３の側部に設けると、ジャッキアップ装置１１の場所には外槽屋根１０のコンクリート部を据え付けることができないため、本手法では図１１に示すように、ジャッキアップ装置１１をＰＣ壁３の頂部に設け、ＰＣ壁３の内周面にカプラー３０を設けてカプラー取り合いにすることで外槽屋根１０のコンクリート部を据え付ける。なお、図１１では打設したコンクリート５について不図示としている。
【００３９】
図１１（ａ）は、外槽屋根１０の据え付け前の状態を示す。ＰＣ壁３の頂部近傍は、図１１（ａ）に示すような構成となっており、側ライナー４の構造体の一部として事前に組み立てたものを搭載している。ＰＣ壁３の内周面には、アングル（突起部）３１が設けられている。アングル３１は。所定高さのＰＣ壁３からタンク内方に向けて略水平に凸設されるものである。カプラー３０は、アングル３１の上方に複数設けられており、外槽屋根１０の鉄筋３２をＰＣ壁３の内周面に接続させるものである。
【００４０】
図１１（ｂ）は、外槽屋根１０の据え付け後の状態を示す。外槽屋根１０の据え付けは、先ず、ＰＣ壁３の内周面に設けたアングル３１によって、外槽屋根１０の上昇する高さを規制する。つまり、ジャッキアップされた外槽屋根１０の外周縁部の構造の一部が、ＰＣ壁３からタンク内方に突出するアングル３１と係止することによって、高さが規制される。その後、係止された位置に、溶接等で外槽屋根１０を固定することで、外槽屋根１０は所定の位置に据え付けられることとなる。そして、予め外槽屋根１０が中間地点にあるときに開始して外槽屋根１０上に敷設されている鉄筋３２の残数をカプラー３０に接続することで、外槽屋根１０のコンクリート部の打設を行う準備が整う。
【００４１】
すなわち、このようなカプラー取り合い構造とすることにより、図７及び図８に示すようなＰＣ壁３の中段に保持された状態で外槽屋根１０での鉄筋作業を開始し、ＰＣ壁３の組み上げが完成した後、外槽屋根１０の鉄筋３２をカプラー３０で接続することにより外槽屋根１０を速やかに据え付けることが可能となる。つまり、このカプラー取り合い構造により、外槽屋根１０上の鉄筋の作業と縁切りをして、この鉄筋作業を、外槽屋根１０が中間地点にある時に開始できるようにすることで後述する屋根上架構の開始時期が必然的に早められる。
【００４２】
外槽屋根１０をＰＣ壁３に据え付けたら、次に、図１２に示すように、ＰＣ壁３の中段にジャッキアップ装置１１を設け、内槽を最後まで組み立てていく。つまり、上述したように、ジャッキアップ装置１１による内槽側板２０の上昇と、上昇した内槽側板２０の下側への次の内槽側板２０の取り付けとを、交互に繰り返し、内槽側板２０を最上段のものから最下段のものへと順次組み立てていく（本実施形態では全８段）。
【００４３】
図１３に示すように、内槽を最後まで組み立てたら、内槽を基礎版２上の所定の位置に下ろす。
なお、被吊側ジャッキ架台１６の内槽側板２０に対する接続位置を下方に変更してもよい。すなわち、その後の工程で内槽を基礎版２上の所定の位置に精度よく下ろすためであり、また、下段側の内槽側板２０はタンク完成後における内容液の比較的大きな液圧に対応して板厚を厚くしているが、上段側（特に最上段）の内槽側板２０は内溶液の比較的小さな液圧に対応して板厚を薄くしているからである。
【００４４】
次に、図１４に示すように、脚付架台９を撤去すると共に、基礎版２上に保冷材４１を敷設する保冷工事を行う。保冷材４１は、例えば、基礎版２上に敷設した底部冷熱抵抗緩和材の上にあわガラスを設け、また、内槽が下ろされる部位には硬質の軽量気泡コンクリート、パーライトコンクリートブロックや構造用軽量コンクリートブロック等を設け、それらの上に内槽底板を敷設することにより形成される。基礎版２上の保冷工事が終了したら、ジャッキアップ装置１１によって内槽を下ろす。内槽を下ろしたら、ジャッキアップ装置１１を撤去する。また、ＰＣ壁３に沿って昇降階段５０を設け、また、外槽屋根１０に屋根上架構５１やバレルノズル５２等を設けると共に外槽屋根１０にコンクリートを打設する。なお、このコンクリートの打設は、外槽屋根１０上における架構工事を早く行うために、外槽屋根１０上の鉄筋３２をカプラー３０に接続した後直ぐに行ってもよい。
【００４５】
その後、ＰＣ壁３の緊張工事を行う。そして、ポンプバレル５３の設置、不図示の内槽工事口の閉鎖の後、水張りをして耐圧・気密試験を実施する。なお、ポンプバレル５３の設置は、不図示の内槽工事口の閉鎖前に通常行われるが、この設置時期は任意に設定することができる。
最後に、図１５に示すように、内外槽間１８に保冷材４２（例えばパーライト）を充填して内外槽間保冷工事を行い、また、外槽屋根１０の屋根裏に設けたサスペンションデッキ４３に保冷材４４（例えばグラスウール）を敷設して屋根裏保冷工事を行う。
その後、塗装工事、配管保冷工事等を経て、ＬＮＧ１０１を収容する円筒型タンク１００の構築が完了する。
【００４６】
このように、上述の本実施形態によれば、金属製の内槽とコンクリート製の外槽とを有する円筒型タンク１００の構築方法であって、基礎版２の外周縁部でＰＣ壁３を組み上げていく工程と、基礎版２の外周縁部以外の基礎版２上で外槽屋根１０を組み立てる工程と、ＰＣ壁３の組み上げ途中で、基礎版２上にある外槽屋根１０をジャッキアップ装置１１により上昇させ、ＰＣ壁３に保持させる工程と、上昇により生じた外槽屋根１０の下方の空間で、外槽屋根１０と独立して内槽を組み立てる工程と、を有する、という手法を採用することによって、ＰＣ壁３の組み上げ、及び外槽屋根１０の組み立て、及び内槽の組み立ての同時並行作業が可能となり、工期の大幅な短縮化が可能となる。したがって、本実施形態によれば、工期の大幅な短縮化を図ることのできる円筒型タンク１００の構築方法が得られる。
【００４７】
また、本実施形態では、外槽屋根１０をＰＣ壁３に保持された状態で組み立てる工程を有する、という手法を採用することによって、ＰＣ壁３の組み上げが完成した後、その頂部へ外槽屋根１０を据え付けて、外槽を速やかに完成させることが可能となる。
【００４８】
また、本実施形態では、ジャッキアップ装置１１による内槽側板２０の上昇と、上昇した内槽側板２０の下側への次の内槽側板２０の取り付けと、を交互に繰り返すことで、内槽を組み立てる工程を有する、という手法を採用することによって、内槽側板２０の継ぎ足しが低位置となり、ＰＣ壁３の中段に保持されている外槽屋根１０との干渉を避けつつ、低所での安全な内槽の組み立て作業が可能となる。
【００４９】
また、本実施形態では、ＰＣ壁３は、側ライナー４を内側型枠としてコンクリートを打設することにより組み上げられ、側ライナー４に予め開口部１５を形成する工程と、コンクリートに埋め込まれるアンカー１４が接続されたアンカープレート１３を開口部１５に取り付ける工程と、開口部１５に取り付けられたアンカープレート１３を介してジャッキアップ装置１１を支持させる工程と、を有する、こという手法を採用することによって、側ライナー４の板厚を厚くする等してジャッキアップ装置１１を支える強度を確保する必要がなく、側ライナー４の板厚を必要最小限にしつつ、必要なアンカー点を確保することができる。
【００５０】
また、本実施形態では、ＰＣ壁３の組み上げ後、ＰＣ壁３の頂部にジャッキアップ装置１１を設け、外槽屋根１０を上昇させる工程と、ＰＣ壁３の内周面にアングル３１を設け、外槽屋根１０の上昇する高さを規制する工程と、アングル３１により高さを規制された外槽屋根１０をＰＣ壁３の内周面にカプラー３０を介して取り付ける工程と、を有する、という手法を採用することによって、ＰＣ壁３の中段に保持された状態で外槽屋根１０での鉄筋作業を開始し、ＰＣ壁３の組み上げが完成した後、カプラー３０取り合いにより外槽屋根１０を速やかに据え付けることが可能となる。
【００５１】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５２】
例えば、上記実施形態では、ＰＣ壁３の組み上げ、及び外槽屋根１０の組み立て、及び内槽の組み立ての同時並行作業を行うと説明したが、脚付架台９により基礎版２上の作業空間が確保できているため、さらに基礎版２上の底部の保冷作業を同時並行して行ってもよい。
【００５３】
また、例えば、上記実施形態では、ジャッキアップ装置１１で外槽屋根１０を吊り上げる手法について説明したが、例えばジャッキアップ装置１１のタイプを換えて外槽屋根１０を押し上げるようにしてもよい。この構成によれば、外槽屋根１０をＰＣ壁３に据え付けるときに、上記実施形態のようにジャッキアップ装置１１をＰＣ壁３の頂部に設置しなくても良くなるため、カプラー取り合い構造にせずに従来構造を採用することができる。
【００５４】
また、例えば、上記実施形態では、ジャッキアップ装置１１で外槽屋根１０を吊り上げる手法について説明したが、ジャッキアップ装置１１のタイプはこの形態に限定されるものではなく、例えばジャッキ本体１１ａとイコライザ１７ａとの位置関係を上下逆にした形態であってもよい。
【００５５】
また、例えば、上記実施形態では、ジャッキアップ装置１１で内槽側板２０を吊り上げる手法について説明したが、例えばジャッキアップ装置１１のタイプを換えて内槽側板２０を押し上げるようにしてもよい。この構成によれば、外槽屋根１０を吊り上げるためのジャッキアップ装置１１を、複数の円筒型タンク１００を建設する際に、１セット分だけ用意したものを転用することで、必要なジャッキアップ装置１１の数を減らすことが可能となる。
【００５６】
また、例えば、上記実施形態では、組み立て途中の外槽屋根１０をジャッキアップしてＰＣ壁３の中段に保持させると説明したが、例えば、基礎版２上でサスペンションデッキ４３や屋根上架構５１やバレルノズル５２等までほぼ完成まで組み立てた外槽屋根１０をジャッキアップしてＰＣ壁３の中段に保持させてもよい。この場合、外槽屋根１０のコンクリート打設に係る外槽屋根１０の鉄骨部の変形による屋根上架構５１への影響を考慮に入れる必要がある。
【００５７】
また、例えば、上記実施形態では、アンカープレート１３を介してジャッキアップ装置１１を設けて外槽屋根１０等を支持させると説明したが、例えば、支持する荷重の大きさによっては、開口部１５を設けずに、側ライナー４に追加のコンクリートスタッドを打ち、頬杖等を持つサポートに外槽屋根１０等の荷重を預けることで、外槽屋根１０等を支えるのに十分な反力をとることも可能である。
【００５８】
また、例えば、上記実施形態では、外槽屋根１０のジャッキアップ、内槽側板２０のジャッキアップについて共通のジャッキアップ装置１１を用いたが、それぞれ専用のジャッキアップ装置を用いてもよい。なお、専用のジャッキアップ装置を用いると、上記実施形態のようなジャッキアップ装置の設置位置の変更が殆ど不要となるが、装置数が増えてしまうので、構築する円筒型タンク１００の規模に応じていずれか好適な方を選択することが好ましい。
【符号の説明】
【００５９】
２…基礎版（外槽の底部）、３…ＰＣ壁（外槽の側壁）、４…側ライナー（外槽側板）、５…コンクリート、１０…外槽屋根（外槽の屋根部）、１１…ジャッキアップ装置、１３…アンカープレート（アンカー部）、１４…アンカー、１５…開口部、２０…内槽側板、３０…カプラー、３１…アングル（突起部）、１００…円筒型タンク
【図１】
2014092004.tif 000003
【図２】
2014092004.tif 000004
【図３】
2014092004.tif 000005
【図４】
2014092004.tif 000006
【図５】
2014092004.tif 000007
【図６】
2014092004.tif 000008
【図７】
2014092004.tif 000009
【図８】
2014092004.tif 000010
【図９】
2014092004.tif 000011
【図１０】
2014092004.tif 000012
【図１１】
2014092004.tif 000013
【図１２】
2014092004.tif 000014
【図１３】
2014092004.tif 000015
【図１４】
2014092004.tif 000016
【図１５】
2014092004.tif 000017